(57)【要約】  【課題】  電源供給のない場所など、屋内、屋外を問わずに任意の場所に設置することができて大気中のＳＰＭの測定を容易に行うことができるとともに、持ち運びに好適な可及的に軽量な汎用性の高い浮遊粒子状物質濃度測定装置を提供すること。  【解決手段】  サンプリングポンプ２２の吸引動作により分粒器４９，５０を介して大気をサンプルガスとして連続的にサンプリング管３５内に吸引し、このサンプリング管３５の下流側に設けられた測定部２１において、前記サンプルガス中の浮遊粒子状物質をフィルタ２６を用いて連続的に捕集し、この捕集した浮遊粒子状物質の濃度をβ線吸収方式で測定するように構成された浮遊粒子状物質濃度測定装置１において、防塵、防水構造の測定装置本体ケース２を備え、この測定装置本体ケース２内に、前記測定部２１と前記サンプリングポンプ２２とこれらを駆動する電源部２３を設けている。【選択図】  図１
2006226906.tif 000002
【特許請求の範囲】
【請求項１】
サンプリングポンプの吸引動作により分粒器を介して大気をサンプルガスとして連続的にサンプリング管内に吸引し、このサンプリング管の下流側に設けられた測定部において、前記サンプルガス中の浮遊粒子状物質をフィルタを用いて連続的に捕集し、この捕集した浮遊粒子状物質の濃度をβ線吸収方式で測定するように構成された浮遊粒子状物質濃度測定装置において、防塵、防水構造の測定装置本体ケースを備え、この測定装置本体ケース内に、前記測定部と前記サンプリングポンプとこれらを駆動する電源部を設けたことを特徴とする浮遊粒子状物質濃度測定装置。
【請求項２】
測定装置本体ケース内には、装置の各部を制御するとともに濃度演算を行う演算制御部とサンプルガスの流量を測定するガス流量計とが内蔵されており、浮遊粒子状物質を分粒する分粒器が前記測定装置本体ケースに着脱自在に取り付けられ、さらに、前記測定装置本体ケースは、装置のオン、オフ、エラー状態等の装置の状態の確認、演算結果などのデータを中央データ管理装置に送る送信手段を備えるとともに、前記データを保存し、必要なときにパソコンによってデータを取り出すことが可能なメモリカードと、前記データを表示する表示部および測定開始・終了用のキーを有する操作パネルと、電源オン・オフ用キーとを備えている請求項１に記載の浮遊粒子状物質濃度測定装置。
【請求項３】
測定装置本体ケースは、持ち運び用の把手と着脱自在な三脚を備えている請求項１または２に記載の浮遊粒子状物質濃度測定装置。
【発明の詳細な説明】
【技術分野】
【０００１】
この発明は、大気中の浮遊粒子状物質を測定するための浮遊粒子状物質濃度測定装置に関する。
【背景技術】
【０００２】
大気中の浮遊粒子状物質（Ｓｕｓｐｅｎｄｅｄ  Ｐａｒｔｉｃｕｌａｔｅ  Ｍａｔｔｅｒ：以下、ＳＰＭという）を測定する手法の一つに、大気をサンプルガスとして連続的にサンプリング管内に吸引し、このサンプリング管の下流側に設けられたチャンバ内において前記サンプルガス中のＳＰＭをダストとしてテープ状フィルタに連続的に捕集し、この捕集したダストに対してβ線源からβ線を照射し、そのときの透過β線を検出器によって検出し、この検出器の出力を用いるβ線吸収方式による、前記捕集したダストの質量を測定する手法がある。この手法によれば、大気中に含まれるＳＰＭの総量の濃度を定量的に把握することができる。
【０００３】
図４は捕集用フィルタを用いてＳＰＭを捕集し、この捕集されたＳＰＭ全体の濃度（質量）を測定するための浮遊粒子状物質濃度測定装置（以下、濃度測定装置という）１００を概略的に示している。図４において、１０１はＳＰＭを捕集するためのテープ状フィルタで、供給リール１０２にロール状に巻回されている。１０３は供給リール１０２から送り出されたテープ状フィルタ１０１を巻き取る巻取リールで、これらの供給リール１０２と巻取リール１０３との間に、ＳＰＭを捕集しその濃度を測定するためのチャンバ１０４が設けられている。なお、１０５はテープ状フィルタ１０１を移動させるための搬送リールで、供給リール１０２からのテープ状フィルタ１０１の搬送量（移動量）を検出する搬送センサ１０５ａを備え、テープ状フィルタ１０１を所定量だけ搬送するものである。
【０００４】
前記チャンバ１０４は、その一端側にテープ状フィルタ１０１の導入口が形成され、他端側にテープ状フィルタ１０１の導出口が形成されており、その内部空間に、テープ状フィルタ１０１を水平状態に保持しガイドするためのフィルタ保持部１０６が設けられている。このフィルタ保持部１０６の水平保持面には、例えば、平面視正六角形状の通気孔を中心として複数の通気孔（図示していない）が開設されており、テープ状フィルタ１０１にＳＰＭを捕集できるように構成されている。そして、前記ＳＰＭの捕集位置の下部側、前記フィルタ保持部１０６の下側（テープ状フィルタ１０１の下面側）には、テープ状フィルタ１０１に対してβ線を照射するβ線源１０７が設けられ、フィルタ保持部１０６の上側（テープ状フィルタ１０１の上面側）に、テープ状フィルタ１０１を透過してきたβ線を検出するβ線検出器１０８がβ線源１０７と対向するようにして設けられている。なお、β線検出器１０８の出力信号は図示していない演算制御部に入力される。
【０００５】
そして、前記チャンバ１０４の一端側（上流側）には、空気導入管１０９を介して、一定量の大気をサンプリングすることのできる分粒器としての例えば、サイクロン式ボリュームサンプラ１１０が接続されるとともに、チャンバ１０４の他端側（下流側）には、真空ポンプなどのサンプリングポンプ（図示していない）を備えた大気導出管（図示していない）が接続されている。なお、ボリュームサンプラ１１０で吸引（サンプリング）される大気の量は、演算制御部に入力される。
【０００６】
上記構成の濃度測定装置１００を用いて、大気中のＳＰＭを測定するには、図４に示すように、テープ状フィルタ１０１を、搬送リール１０５を経由しチャンバ１０４内を挿通して、供給リール１０２と巻取リール１０３との間にセットする。これによって、テープ状フィルタ１０１の一部分が測定部位に静止状態で位置する。この静止状態でチャンバ１０４の下流側のサンプリングポンプを吸引動作させることにより、大気がサンプリングされてボリュームサンプラ１１０内に導入され、このボリュームサンプラ１１０の働きによってＳＰＭの濃度が高められた大気１１１がチャンバ１０４内に導入され、テープ状フィルタ１０１を通過し、フィルタ保持部１０６の通気孔を通過してチャンバ１０４外に排出される。このとき、チャンバ１０４内においては、前記サンプリングされた大気１１１がテープ状フィルタ１０１を通過する際、当該大気１１１に含まれるＳＰＭがテープ状フィルタ１０１のＳＰＭ捕集部部分に捕集され、測定スポットが形成される。この測定スポットは、テープ状フィルタ１０１の静止状態で前記大気サンプリングを所定時間（例えば、１時間）行うことによって形成される。
【０００７】
前記所定時間をかけて大気サンプリングを行うことによってテープ状フィルタ１０１に形成された測定スポットに対してβ線源１０７からβ線を照射し、そのときのテープ状フィルタ１０１を透過してきたβ線をβ線検出器１０８によって検出する。そして、このβ線検出器１０８から出力される強度信号を演算制御部において所定の演算式を用いて演算を行うことにより捕集されたＳＰＭの総重量が求められ、さらに吸引した大気量と前記総重量を用いて所定の演算式によって演算を行うことにより、捕集されたＳＰＭの濃度が得られる。
【０００８】
前記測定後、搬送リール１０５を動作させてテープ状フィルタ１０１を所定量移動させることにより、前記測定スポットが巻取リール１０３方向に移動し、テープ状フィルタ１０１の新しい他の部分が測定部位に位置し、次の測定への待機状態となる。
【発明の開示】
【発明が解決しようとする課題】
【０００９】
ところで、前記従来の濃度測定装置１００においては、測定装置本体ケースにサンプリングポンプが外付けされるとともに、サイクロン式ボリュームサンプラ１１０やインパクターが大気に晒された状態で、電源供給のある大気測定局に設置されていたので、以下のような不都合があった。すなわち、
（１）測定装置本体ケースは防滴構造にはなっていなかったので、屋外での測定には不向きであった。
（２）大気中のＳＰＭの測定が、ＡＣ１００Ｖ〜２００Ｖ仕様の電源供給のある大気測定局でしか行えなかった。
（３）大気測定局のある、限られた場所でしか測定が行えなかった。
（４）測定部、演算制御部およびこれらを収容する測定装置本体ケースの合計重量が例えば２５ｋｇ、サンプリングポンプの重量が６ｋｇというように濃度測定装置１００全体が屋外設置のために持ち運ぶには重量的に不向きに構成されており、一般的に大気測定局において固定的に使用されていた。
【００１０】
この発明は、上述の事柄に留意してなされたもので、その目的は、電源供給のない場所など、屋内、屋外を問わずに任意の場所に設置することができて大気中のＳＰＭの測定を容易に行うことができるとともに、持ち運びに好適な可及的に軽量な汎用性の高い濃度測定装置を提供することである。
【課題を解決するための手段】
【００１１】
この発明は、サンプリングポンプの吸引動作により分粒器を介して大気をサンプルガスとして連続的にサンプリング管内に吸引し、このサンプリング管の下流側に設けられた測定部において、前記サンプルガス中の浮遊粒子状物質をフィルタを用いて連続的に捕集し、この捕集した浮遊粒子状物質の濃度をβ線吸収方式で測定するように構成された濃度測定装置において、防塵、防水構造の測定装置本体ケースを備え、この測定装置本体ケース内に、前記測定部と前記サンプリングポンプとこれらを駆動する電源部を設けた点に特徴がある（請求項１）。
【００１２】
そして、上記濃度測定装置は、測定装置本体ケース内には、装置の各部を制御するとともに濃度演算を行う演算制御部とサンプルガスの流量を測定するガス流量計とが内蔵されており、浮遊粒子状物質を分粒する分粒器が前記測定装置本体ケースに着脱自在に取り付けられ、さらに、前記測定装置本体ケースは、装置のオン、オフ、エラー状態等の装置の状態の確認、演算結果などのデータを中央データ管理装置に送る送信手段を備えるとともに、前記データを保存し、必要なときにパソコンによってデータを取り出すことが可能なメモリカードと、前記データを表示する表示部および測定開始・終了用のキーを有する操作パネルと、電源オン・オフ用キーとを備えている（請求項２）。
【００１３】
さらに、上記濃度測定装置は、測定装置本体ケースに、持ち運び用の把手と着脱自在な三脚を備えている（請求項３）。
【発明の効果】
【００１４】
請求項１に記載の発明では、測定装置本体ケース（以下、本体ケースという）を防塵、防水構造とし、本体ケース内に、測定部とサンプリングポンプとこれらを駆動する電源部を設けている。すなわち、本体ケースが防塵、防水構造となっているので、屋外の任意の場所に濃度測定装置を設けることができる。そして、本体ケース内に設けられた電源部によって、測定部やサンプリングポンプを稼働することができるので、濃度測定装置を屋外に持ち運ぶことができ、既設の大気測定局だけではなく、従来測定が行うことができなかった電源供給の不可能な場所、例えば、山間僻地や都市部においても大気測定局のない場所や災害地域は勿論のこと工場等必要な場所においても任意に測定を行うことができる。
【００１５】
つまり、本体ケースが防塵、防水構造になっているので、本体ケース内に設けられる測定部、サンプリングポンプ、電源部が良好な環境（湿度および／または温度）の下に設置されるので、測定等所望の動作が確実に行われる。そして、電源部を本体ケースに内蔵していることにより、外部からの電源供給を考慮する必要はなくなり、測定箇所を任意に選ぶことができるとともに、画期的に増やすことができる。また、持ち運びできる程度に小型・コクパクト化することにより、必要な場所に容易に搬出することができ、必要に応じて任意の期間簡単に測定に供することもできる。さらに、本体ケース内に、測定部とサンプリングポンプとこれらを駆動する電源部をユニットとして着脱自在に設けた場合、それらの交換や点検などメンテナンスを容易に行うことができる。
【００１６】
そして、請求項２に記載の発明では、浮遊粒子状物質を分粒する分粒器が本体ケースに着脱自在に取り付けられているので、分粒器を本体ケースと分離・分割して持ち運びすることができ、測定場所で分粒器を本体ケースに取り付けるだけで所望の状態にセットすることができる。また、装置のオン、オフやエラー状態等の装置の状態の確認（装置ステータスの確認）、測定時の演算結果などのデータを中央データ管理装置に送る送信手段を備えているので、データの分析・確認を迅速に行うことができる。さらに、データを保存し、必要なときにパソコン等によってデータを取り出すことが可能なメモリカードを備えているので、データ採取を任意に行うことができ、現在得られたデータを過去のデータや他の測定箇所のデータ等と比較・検討することができ、測定の効率化を図ることができる。
【００１７】
請求項３に記載の発明では、三脚により、本体ケースを所望の測定姿勢（例えば水平状態）に安定的に保つことができ、所望の測定が確実に行われる。また、本体ケースに把手を設けたので、本体ケースを片手で容易に持ち運ぶことができる。
【発明を実施するための最良の形態】
【００１８】
以下、この発明の実施の形態を、図を参照しながら説明する。なお、それによってこの発明は限定されるものではない。
【００１９】
図１〜図３はこの発明の一つの実施の形態を示す。まず、図１はこの発明の濃度測定装置の主要部の構成を示すもので、この図１において、１は濃度測定装置で、その本体ケース２は、例えば直方体形状であって、上蓋３と前蓋４と左右両側面部５，６と背面部７と底面部８とで構成されている。この本体ケース２は、耐腐食性の例えばステンレスよりなり、堅牢構造となっており、例えば両側面部５，６、背面部７および底面部８は一体的に形成されている。そして、上蓋３と前蓋４は、開閉可能な構造になっており、上蓋３は、背面部７の上端において両矢印ａ方向に回転し、前蓋４は、底面部８の前端において両矢印ｂ方向に回転するよう枢支されている。そして、これら上蓋３と前蓋４の内壁端にはパッキン等の枠状のシール部材９が設けられており、本体ケース２は防塵、防水構造となっている。本体ケース２のサイズは、例えば、幅Ｗが３００ｍｍ、高さＨが２５０ｍｍ、奥行Ｄが２００ｍｍである（図２参照）。
【００２０】
また、前蓋４および上蓋３にはロック手段が設けられている。１０および１１はそれぞれ前蓋４および上蓋３の内面側において互いに対応する位置に設けられたロック金具である。そして、１２は前蓋４におけるロック金具１０に対応する位置に形成されるキー差し込み孔（図２参照）である。また、前蓋４は、矩形のガラス窓１３と前蓋引出し用の引き出し口１４（図３参照）とを有する。また、前蓋４は、内壁上端の左右の位置に爪１５，１６を有する一方、これらの爪１５，１６のうち、一方の爪１５が左側面部５の内壁に設けた係止部１７に係合するとともに、他方の爪１６が右側面部６の内壁に設けた係止部１８に係合する。そして、上蓋３の表面には把手１９が設けられている。
【００２１】
そして、本体ケース２の内部は、その幅方向において、一枚の仕切り板２０によって前面側の室（前室）２Ａと背面側の室（後室）２Ｂの２室に区画されており、この実施例では、仕切り板２０は例えばアルミニウムよりなり、本体ケース２に対して着脱自在に設けられている。そして、この仕切り板２０の前面側の壁（前壁）２０ａ側には測定部２１が設けられ、仕切り板２０の後室２Ｂにサンプリングポンプ２２や電源部２３等が収容されている。
前記測定部２１は、仕切り板２０の前壁２０ａに適宜の間隔をおいて水平に立設される二つのリール２４，２５と、これらリール２４，２５間に懸け渡されたテープ状フィルタ２６と、β線源２７と、β線検出器２８とからなり、前室２Ａにおいて露出した状態で設けられている。また、仕切り板２０の前壁２０ａには、表示操作部２９が設けられている。この表示操作部２９は、液晶からなるデータ表示部３０（図３参照）と、測定開始・終了用のキーを含む入力キー３１（図３参照）とを前面に備えている。データ表示部３０は、装置のオン、オフ、エラー状態等の装置ステータスの確認、演算結果などのデータを表示する。また、表示操作部２９の上面には、前記データを保存し、必要なときにパソコン３２（図２参照）によって必要なデータを取り出すことが可能なメモリカード３３を挿抜するための孔３４が形成されている。
【００２２】
前記サンプリングポンプ２２は、その吸引動作により一定流量の大気をサンプルガスとして連続的にサンプリング管３５内に吸引するもので、排気流路３６の最下流に位置している（図３参照）。このサンプリングポンプ２２としては、例えば１ｋｇ程度の軽量かつ本体ケース２内に収納可能な小型・コンパクトなもので、かつその性能が従来のサンプリングポンプに劣らないものが用いられる。そして、このサンプリングポンプ２２と排気流路３６に設けたガス流量調整器３７、サンプルガスの流量を測定するよう排気流路３６に設けたガス流量計３８とが一つの取り付けプレート３９に設けられてユニット化されており、本体ケース２から取り外し自在になっている。そして、取り付けプレート３９が設置される後室２Ｂにおける底面部８には多数の排気孔４０が形成されている。
【００２３】
前記電源部２３としては、例えば充電可能なバッテリーが用いられる。このバッテリー２３は、その電源部本体ケース４１が箱状に形成されているとともに、この電源部本体ケース４１には把手４２が設けられている。そして、この電源部２３は、その本体ケース４１に設けた＋および−端子４３，４４を濃度測定装置１の本体ケース２の左側面部５に向けた状態で、左側面部５に形成された挿入口を介して仕切り板２０の後室２Ｂの左側に挿入され、横置き状態で、後室２Ｂに設けた例えば箱状の第１の収容ケース４５に収容された１または複数のプリント基板にバッテリー２３の＋および−端子４３，４４が電気的に接続されるように構成されている。なお、第１の収容ケース４５は、例えば、後室２Ｂの中央左寄り、かつ前面側に設けられている。
【００２４】
４６は携帯電話で、無線取り付け用の配線４７を介してアンテナ４８に接続されており、携帯電話４６と配線４７とアンテナ４８とで、濃度測定装置１の電源オン、オフ、エラー状態等装置ステータスの確認、演算結果などのデータを中央データ管理装置に送る送信手段が構成される。
【００２５】
そして、前記測定部２１、サンプリングポンプ２２、バッテリー２３およびこれら以外に本体ケース２に内蔵される上述した各種部材ならびに本体ケース２の総重量が、片手で容易に持ち運び可能なように例えば１５ｋｇ以下の大きさに設定されている。
【００２６】
次に、図２は上記本体ケース２の周辺に付設される部品を示したもので、この図２において、４９および５０はそれぞれ、目的に応じていずれか一方が選択されて取り付けられる分粒器である。すなわち、４９は分粒器としてのインパクターで、サンプリング流路Ｒの最上流端に設けられる。このインパクター４９は、本体ケース２の上蓋３に形成された、サンプリング流路Ｒの入口５１（図１参照）に着脱自在に取り付けられる。この分粒器４９は、サンプリング流路Ｒ内に吸引されたサンプルガス中に含まれるＳＰＭを分級するもので、所定の粒径を超えるＳＰＭを捕捉し、所定の粒径以下のＳＰＭのみを測定部２１側に通過させるものである。また、５０は他の分粒器としてのサイクロン式ボリュームサンプラで、本体ケース２の背面部７に形成された、サンプリング流路の入口５２（図１参照）に着脱自在に取り付けられる。なお、これらのインパクター４９およびサイクロン式ボリュームサンプラ５０は、測定場所までは備品として、本体ケース２とは分離した状態で搬送される。そして、例えばインパクター４９が本体ケース２の入口５１に取り付けられるとき、前記入口５２は適宜の部材で封止され、逆にサイクロン式ボリュームサンプラ５０が入口５２に取り付けられるとき、前記入口５１は適宜の部材で封止される。
【００２７】
５３は本体ケース２の水平性を安定的に保つ屋外設置用三脚で、本体ケース２の底面部８に例えばねじにより、取り付け、取り外し可能に設けられる。５４はバッテリー２３に代わる電源部としての太陽パネルで、取り付け部材５５を介して本体ケース２に着脱自在に取り付けられる。５６は電源供給のある測定場所で使用する電源ケーブルで、その途中にはＡＣをＤＣに変換する変換器５７が設けられている。
【００２８】
図３は、主として濃度測定装置１における制御関係の構成を示すもので、この図３において、５８は演算制御部で、１または複数のプリント基板から構成されており、前記測定部２１を初めとして、濃度測定装置１の各部を制御し、測定部２１等からの信号を処理するものであり、この実施例では、前述した第１の収容ケース４５と後述する第２の収容ケース５９の二つの収容ケースに跨がって収容されている。６０は各種の演算を行うＣＰＵ、６１はアナログ信号をディジタル信号に変換したり、ディジタル信号をアナログ信号に変換する信号変換器、６２はβ線検出器２８の出力が入力されるアンプ、６３はガス流量計３８や他のセンサ６４からの検出出力が入力されるアナログＩ／Ｏ、６５はディジタルＩ／Ｏ、６６はＲＡＭ、６７は電気的消去の可能なＲＯＭである。また、６８，６９は、外部引き出し端子である。
【００２９】
前記第２の収容ケース５９は、１または複数のプリント基板を収容するもので、仕切り板２０の後室２Ｂの中央左寄り、かつ後面側に、第１の収容ケース４５とは第１の収容ケース４５のプリント基板と第２の収容ケース５９のプリント基板同士が電気的に接続された状態で隣接して設けられている。そして、第１の収容ケース４５の上面には無線取り付け用の配線４７の一端、または、太陽パネル５４の電池供給コード５４ａの一端が差し込まれる差込口７０（図１参照）が形成される一方、第２の収容ケース５９の上面には濃度測定装置１の電源オン・オフ用キー７１が設けられ、前面にはサンプリングポンプ２２の配線等の差し込み口７２が設けられている。
【００３０】
次に、上記構成の濃度測定装置２の動作について説明する。例えば電源供給のない屋外で大気中のＳＰＭを測定する場合、備品として分粒器４９，５０を用意し、測定部２１、サンプリングポンプ２２、バッテリー２３等が収容された本体ケース２を片手で測定スポットまで運んだ後、三脚５３を地面に立て、この三脚５３の載置台５３ａに本体ケース２を取り付ける。このとき、本体ケース２の水平性が安定的に保たれるように三脚５３を調整する。続いて、例えばインパクター４９を本体ケース２に取り付けるとともに、上蓋３を開けて電源オン・オフ用キー７１をオンにセットし、前蓋４を開けて測定開始用のキー３１をセットする。
【００３１】
そして、測定部２１においては、テープ状フィルタ２６は、リール２４，２５間にセットされており、テープ状フィルタ２６の一部分が測定部位に位置する状態で静止している。この静止状態でサンプリングポンプ２２を吸引動作させることにより、インパクター４９を介して大気が吸引され、この大気はテープ状フィルタ２６を通過し、フィルタ保持部の通気孔を通過して排出される。このとき、前記サンプリングされた大気がテープ状フィルタ２６を通過する際、当該大気に含まれるＳＰＭがテープ状フィルタ２６に捕集され、測定スポットが形成される。この測定スポットは、大気サンプリングを所定時間（例えば、１時間）行うことによって形成される。そして、前記測定スポットに対してβ線源２７からβ線を照射し、そのときのテープ状フィルタ２６を透過してきたβ線をβ線検出器２８によって検出する。このβ線検出器２８から出力される強度信号を演算制御部５８において所定の演算式に基づいて処理することにより捕集されたＳＰＭの総重量が求められ、さらに吸引した大気量と前記総重量を用いて所定の演算式によって演算を行うことにより、捕集されたＳＰＭの濃度が得られる。
【００３２】
前記測定後、リール２４，２５を動作させてテープ状フィルタ２６を所定量移動させることにより、前記測定スポットがリール２５方向に移動し、テープ状フィルタ２６の新しい他の部分が測定部位に位置し、次の測定への待機状態となる。
【００３３】
このようにして一連の測定を行うことができる。そして、当該測定が終了した後、測定者が例えば携帯電話４６を操作することにより、演算結果などのデータを中央データ管理装置に送ることができる。また、予めメモリカード３３を表示操作部２９の上面に設けた挿入孔３４に挿入しておくことにより、前記データを保存し、必要なときにパソコン３２によって前記データを取り出すことが可能である。また、測定者が携帯電話４６を操作することにより、濃度測定装置１の電源オン、オフ、エラー状態等装置ステータスの確認のデータを中央データ管理装置に送ることもできる。
【００３４】
そして、上記濃度測定装置１においては、サンプリングポンプ２２と、排気流路３６に設けたガス流量調整器３７と、サンプルガスの流量を測定するガス流量計３８とが一つの取り付けプレート３９に設けられてユニット化されており、本体ケース２から取り外し自在になっている。したがって、例えばサンプリングポンプ２２のメンテナンスは、本体ケース２から取り付けプレート３９を取り外すだけで容易に行うことができる。
【００３５】
また、上記濃度測定装置１においては、バッテリー２３は、本体ケース２内に設けた第１の収容ケース４５に収容されるプリント基板に電気的に接続されるように構成されている。したがって、本体ケース２から使用済みのバッテリー２３を取り出すだけでバッテリー２３の交換を容易に行うことができる。  
【００３６】
さらに、上記濃度測定装置１においては、測定部２１は、仕切り板２０に設けられているとともに、仕切り板２０が本体ケース２に着脱自在に設けられているので、測定部２１のメンテナンスは、これを仕切り板２０とともに本体ケース２から取り外すことができるので、いわゆるユニットとしての交換を行うことができる。勿論、測定部２１の構成部材のみの交換を行うようにしてもよい。いずれにしても、測定部２１の点検や部品交換などのメンテナンスを容易に行うことができる。
【００３７】
なお、上記濃度測定装置１において、太陽パネル５４を使用できる状態にあるときは、太陽パネル５４を本体ケース２に取り付け、太陽パネル５４の電池供給コード５４ａを例えば第１の収容ケース４５に収容されるプリント基板に電気的に接続する。また、電源供給のある場所では電源ケーブル５６を使用すればよい。
【００３８】
なお、特開２００４−３３３４６５号公報に記載されているように、浮遊粒子状物質を捕集するテープ状フィルタがフッ素樹脂製の多孔質フィルムを使用し、この多孔質フィルムに通気性の補強層を裏打ちし、この補強層に測定対象物質以外の物質を標識として所定量保持させるようにした場合、ＳＰＭをダストとして捕集した後、例えば、荷電粒子励起Ｘ線分析法を用いたＰＩＸＥ装置によってそのまま測定するだけで、当該ＰＩＸＥ装置の感度補正を行うことができ、ＳＰＭを個々に精度よく定量分析することができる。
【図面の簡単な説明】
【００３９】
【図１】この発明の浮遊粒子状物質濃度測定装置の一例を示す分解斜視図である。
【図２】上記浮遊粒子状物質濃度測定装置の使用状態を示す分解斜視図である。
【図３】上記浮遊粒子状物質濃度測定装置の構成を概略的に示す図である。
【図４】従来例を示す構成説明図である。
【符号の説明】
【００４０】
１                  浮遊粒子状物質濃度測定装置
２                  測定装置本体ケース
２１                測定部
２２                サンプリングポンプ
２３                電源部
２６                フィルタ
２７                β線源
２８                β線検出器
３５                サンプリング管
３８                ガス流量計
４９，５０          分粒器    
【図１】
2006226906.tif 000003
【図２】
2006226906.tif 000004
【図３】
2006226906.tif 000005
【図４】
2006226906.tif 000006